【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
内周面の母線に沿ってロックカム溝を有する外筒体と、この外筒体に回動自在に嵌合すると共に、中心軸線に沿って形成されたキー孔及び半径方向の解錠切欠を有する内筒体と、この内筒体の外周面の母線に沿って延在し、前記ロックカム溝と係合する方向に付勢されたロッキングバーと、前記内筒体の各仕切り部の間に位置すると共に、タンブラーバネのバネ力に抗して半径方向にスライド自在であり、かつ合鍵のブレードに形成されたタンブラー用誘導刻みに対応して係合する被誘導部分を有する複数枚の可動障害子を備えたディスクタンブラー錠に於いて、
前記可動障害子は、対向状態に二分割され、その内端部側の各対向面の一部に傾斜状に形成された前記被誘導部分を有し、一方、前記合鍵の前記タンブラー用誘導刻みは、前記ブレードの平面部の一側上面に側面部からブレードの幅方向に形成された窪み状の第１刻みと、前記ブレードの平面部の一側下面に形成された窪み状の第２刻みであり、
前記合鍵のブレードを前記キー孔に挿入すると、前記二分割の可動障害子は、それぞれ前記タンブラーバネのバネ力に抗して、かつ一対のガイド棒にそれぞれ同じ方向に案内されると共に、該可動障害子の被誘導部分が前記合鍵のタンブラー用誘導刻みに係合し、これにより二分割された可動障害子の外端部側の各解錠用受け入れ凹所が、前記ロッキングバーの内端部と一致し、以て、合鍵と共に内筒体を解錠方向へ回動させた時、前記ロックカム溝と前記ロッキングバーとの間に生じる楔作用により、内筒体が外筒体に対して相対回動するディスクタンブラー錠。
【請求項２】
請求項１のディスクタンブラー錠に於いて、少なくとも合鍵のタンブラー用誘導刻みのブレード幅方向の断面形状は、ほぼ山形であることを特徴とするディスクタンブラー錠。
【請求項３】
内周面の母線に沿ってロックカム溝を有する外筒体と、この外筒体に回動自在に嵌合すると共に、中心軸線に沿って形成されたキー孔及び半径方向の解錠切欠を有する内筒体と、この内筒体の外周面の母線に沿って延在し、前記ロックカム溝と係合する方向に付勢されたロッキングバーと、前記内筒体の各仕切り部の間に位置すると共に、タンブラーバネのバネ力に抗して半径方向にスライド自在であり、かつ合鍵のブレードに形成されたタンブラー用誘導刻みに対応して係合する被誘導部分を有する複数枚の可動障害子を備えたディスクタンブラー錠用の鍵に於いて、
前記可動障害子は、対向状態に二分割され、その内端部側の各対向面の一部に傾斜状に形成された前記被誘導部分を有し、一方、前記合鍵の前記タンブラー用誘導刻みは、前記ブレードの平面部の一側上面に側面部からブレードの幅方向に形成された窪み状の第１刻みと、前記ブレードの平面部の一側下面に形成された窪み状の第２刻みであり、
前記合鍵のブレードを前記キー孔に挿入すると、前記二分割の可動障害子は、それぞれ前記タンブラーバネのバネ力に抗して、かつ一対のガイド棒にそれぞれ同じ方向に案内されると共に、該可動障害子の被誘導部分が前記合鍵のタンブラー用誘導刻みに係合し、これにより二分割された可動障害子の外端部側の各解錠用受け入れ凹所が、前記ロッキングバーの内端部と一致し、以て、合鍵と共に内筒体を解錠方向へ回動させた時、前記ロックカム溝と前記ロッキングバーとの間に生じる楔作用により、内筒体が外筒体に対して相対回動するディスクタンブラー錠用の鍵。
【手続補正２】
【補正対象書類名】明細書
【補正対象項目名】全文
【補正方法】変更
【補正の内容】
【発明の詳細な説明】
【発明の名称】ディスクタンブラー錠及び該ディスクタンブラー錠用の鍵
【技術分野】
【０００１】
本発明はディスクタンブラー錠に関し、特に可動障害子が外筒体の半径方向にスライドする方式のディスクタンブラー錠及び該ディスクタンブラー錠用の鍵に関する。
【背景技術】
【０００２】
特許文献１は、「タンブラー」と称される可動障害子が支軸を中心にして揺動する振り子式のロータリーディスクタンブラー錠である点で、本発明とは技術的原理が相違する。また特許文献２は、本発明と同様に可動障害子が直線移動するスライド方式のディスクタンブラー錠なので、本発明と技術的原理が同じである。これらの特許文献に記載の公知発明は、「鍵違いの増大化」を図ることができる点で、本発明の課題と一部共通するものの、錠前を構成する各部材が同一であっても、複数種類の可動障害子の配列を任意に変更することにより、鍵違いの増大化を得ることができる多種類のタンブラー錠を提供することができないという問題点がある。
【０００３】
出願人は上記問題点を克服するために特許文献３を提案した。この特許文献３の段落００４２、段落００４７等には、図面（図３１など）と共に、可動障害子としての複数種類の環状ディスクタンブラーの設計変更例として、各環状ディスクタンブラーをそれぞれ左右或いは上下対称に二分割しても良い旨が記載されている。
【０００４】
しかしながら、この特許文献３の発明の課題は、外筒体或いは内筒体の軸線方向に少なくとも３種類の可動障害子の配列を任意に変更することにより、鍵違いの増大化を得ることができる多種類のタンブラー錠を提供することであることから、異なる形状の可動障害子を複数製造となければならない、また合鍵のタンブラー用誘導刻みも、前記３種類の可動障害子の各被誘導部分に対応して完全な窪み、谷型の刻み、縁部分の切欠溝等の３種類を形成しなければならないので、タンブラー錠及び鍵の製造コストがそれぞれ高くなるという問題点がある。そこで、現在、可動障害子を左右或いは上下対称に二分割する実施形態をさらに発展させ、「より一層の鍵違いの増大化」を図ることができると共に、二分割した可動障害子の形態を、極力一種類の形態に統一化することにより、タンブラー錠及び鍵の製造コストをそれぞれ低く抑えることが期待されている。
【０００５】
ところで、特許文献４には、ディスクタンブラー錠及び鍵に於いて、環状ディスクタンブラーを左右或いは上下対称に二分割すること、二分割された可動障害子の対向側の内端部の一部に傾斜状の被誘導部分（被係合面）を形成すること、可動障害子の前記傾斜状の被誘導部分に対応して、合鍵のブレートの側壁部に、該ブレートの平面部に相当する一側面から他側面にかけて傾斜状のタンブラー用誘導刻み（刻みタイプの傾斜状谷部）を形成することが記載されている。
【０００６】
この特許文献４は、本発明の如く、二分割した可動障害子の形態を、それぞれ一種類の形態に統一化するので、タンブラー錠及び鍵の製造コストをそれぞれ低く抑えることができるものの、前記タンブラー用誘導刻みは、例えば特許文献５の図１に記載されたリバーシブルキーの如く、一側面から他側面にかけて傾斜状に形成された谷部なので、「より一層の鍵違いの増大化を図る」及び「より一層の複製が困難な合鍵を得る」という発明の課題を十分に満足させることができない。
【先行技術文献】
【特許文献】
【０００７】
【特許文献１】特許第４００８３０２号公報
【特許文献２】特開２０１１−７４６１３号公報
【特許文献３】特開２０１４−１５２５９３号公報
【特許文献４】実開昭６３−４４９６５号公報
【特許文献５】特開平９−１４４３９８号公報の図１
【発明の概要】
【発明が解決しようとする課題】
【０００８】
本発明の主たる目的は、特許文献３及び特許文献４の問題点に鑑み、二分割の可動障害子を備えるディスクタンブラー錠及び該ディスクタンブラー錠用の鍵に於いて、前記可動障害子の被誘導部分の構成と、合鍵のブレードに形成したタンブラー用誘導刻みの構成との組み合わせに工夫を凝らし、「より一層のピッキングの防止」、「より一層の鍵違いの増大化を図る」及び「より一層の複製が困難な合鍵を得る」ことである。第２の目的は、例えばタンブラー用誘導刻みの側壁部から平面部に至る複数の刻みの長さに変化を持たせることにより、ピッキングの防止という観点から、より安全性が高いディスクタンブラー錠及び複製が困難な鍵を得ることである。その他、例えば合鍵の挿入時及び引き抜き時に可動障害子との摩擦抵抗を少なくする、タンブラー錠及び鍵の製造コストをそれぞれ低く抑える、同位置にタンブラー用誘導刻みを形成しても、合鍵のブレードは垂直に刻みを形成するものよりも強靭である等の目的は、従属項によって特定される。
【課題を解決するための手段】
【０００９】
本発明のディスクタンブラー錠は、内周面の母線に沿ってロックカム溝を有する外筒体と、この外筒体に回動自在に嵌合すると共に、中心軸線に沿って形成されたキー孔及び半径方向の解錠切欠を有する内筒体と、この内筒体の外周面の母線に沿って延在し、前記ロックカム溝と係合する方向に付勢されたロッキングバーと、前記内筒体の各仕切り部の間に位置すると共に、タンブラーバネのバネ力に抗して半径方向にスライド自在であり、かつ合鍵のブレードに形成されたタンブラー用誘導刻みに対応して係合する被誘導部分を有する複数枚の可動障害子を備えたディスクタンブラー錠に於いて、前記可動障害子は、対向状態に二分割され、その内端部側の各対向面の一部に傾斜状に形成された前記被誘導部分を有し、一方、前記合鍵の前記タンブラー用誘導刻みは、前記ブレードの平面部の一側上面に側面部からブレードの幅方向に形成された窪み状の第１刻みと、前記ブレードの平面部の一側下面に形成された窪み状の第２刻みであり、前記合鍵のブレードを前記キー孔に挿入すると、前記二分割の可動障害子は、それぞれ前記タンブラーバネのバネ力に抗して、かつ一対のガイド棒にそれぞれ同じ方向に案内されると共に、該可動障害子の被誘導部分が前記合鍵のタンブラー用誘導刻みに係合し、これにより二分割された可動障害子の外端部側の各解錠用受け入れ凹所が、前記ロッキングバーの内端部と一致し、以て、合鍵と共に内筒体を解錠方向へ回動させた時、前記ロックカム溝と前記ロッキングバーとの間に生じる楔作用により、内筒体が外筒体に対して相対回動することを特徴とする。
【００１０】
また本発明のディスクタンブラー錠用の鍵は、内周面の母線に沿ってロックカム溝を有する外筒体と、この外筒体に回動自在に嵌合すると共に、中心軸線に沿って形成されたキー孔及び半径方向の解錠切欠を有する内筒体と、この内筒体の外周面の母線に沿って延在し、前記ロックカム溝と係合する方向に付勢されたロッキングバーと、前記内筒体の各仕切り部の間に位置すると共に、タンブラーバネのバネ力に抗して半径方向にスライド自在であり、かつ合鍵のブレードに形成されたタンブラー用誘導刻みに対応して係合する被誘導部分を有する複数枚の可動障害子を備えたディスクタンブラー錠用の鍵に於いて、前記可動障害子は、対向状態に二分割され、その内端部側の各対向面の一部に傾斜状に形成された前記被誘導部分を有し、一方、前記合鍵の前記タンブラー用誘導刻みは、前記ブレードの平面部の一側上面に側面部からブレードの幅方向に形成された窪み状の第１刻みと、前記ブレードの平面部の一側下面に形成された窪み状の第２刻みであり、前記合鍵のブレードを前記キー孔に挿入すると、前記二分割の可動障害子は、それぞれ前記タンブラーバネのバネ力に抗して、かつ一対のガイド棒にそれぞれ同じ方向に案内されると共に、該可動障害子の被誘導部分が前記合鍵のタンブラー用誘導刻みに係合し、これにより二分割された可動障害子の外端部側の各解錠用受け入れ凹所が、前記ロッキングバーの内端部と一致し、以て、合鍵と共に内筒体を解錠方向へ回動させた時、前記ロックカム溝と前記ロッキングバーとの間に生じる楔作用により、内筒体が外筒体に対して相対回動することを特徴とする。
【発明の効果】
【００１１】
（ａ）請求項１に記載の発明は、二分割の可動障害子を備えるディスクタンブラー錠に於いて、合鍵をキー孔に挿入した時、前記二分割の可動障害子は、各タンブラーバネのバネ力に抗して、かつ一対のガイド棒にそれぞれ同じ方向に案内されない限り、該可動障害子の被誘導部分が前記合鍵のタンブラー用誘導刻みに係合し、これにより二分割の可動障害子の外端部側の各解錠用受け入れ凹所が、ロッキングバーの内端部(好ましくはその係合板部分)とそれぞれ同時に一致しないので、内筒体を解錠方向へ回転させることができない。したがって、「より一層のピッキングの防止」、「より一層の鍵違いの増大化を図る」及び「より一層の複製が困難な合鍵を得る」ことができる。「より一層のピッキングの防止」について付言すると、二分割の可動障害子の被誘導部分は、例えば「ハの字状」或いは「楔状」の格好で合鍵のタンブラー用誘導刻みの窪み状の第１刻み及び第２刻みを待ち構えているので、不正解錠工具（ピッキングツール）の先端が被誘導部分の傾斜面に対して滑り、その結果、ピッキングの防止に寄与する。
（ｂ）請求項２に記載の発明は、少なくとも一つのタンブラー用誘導刻みの鍵幅方向の断面形状は、ほぼ山形或いは屋根形状なので、その傾斜状稜線部が可動障害子の被誘導部分と摺接する。したがって、例えば合鍵の挿入時及び引き抜き時に可動障害子との摩擦抵抗を少なくすることができるので、合鍵の操作性が良い。また前記誘導刻みの鍵幅方向の断面形状はほぼ山形或いは屋根形状なので、その傾斜状稜線部にはゴミが付着しないと共に、傾斜状稜線部（実体部分）が存在するから、誘導刻みの底を一側上面から反対側の一側下面に直線状に切欠した非山形或いは屋根形状の誘導刻みに比してより強靭であるという鍵自体の効果がある。
（ｃ）請求項３に記載の発明は、鍵の構成として、合鍵のタンブラー用誘導刻みは、ブレードの平面部の一側上面に側面部からブレード幅方向（鍵幅方向）に形成された窪み状の第１刻みと、この第１刻みのほぼ裏側位置に相当する前記平面部の一側下面に窪み状の第２刻みであり、これらの第１刻み及び第２刻みは、可二分割の可動動障害子の各対向面の一部に形成された一対の傾斜状の被誘導部分にそれぞれ対応していることから、「より一層の複製が困難な合鍵を得る」ことができる。
その他、例えばタンブラー用誘導刻みの第２刻の斜辺の長さは、第１刻みの斜辺の長さよりも短い（異なる刻みである）ので、合鍵の挿入時、該合鍵のタンブラー用誘導刻みによって、外筒体の内周面の一部から離れるようにリフトアップされた或いは位置変位した二分割の可動障害子は、それぞれ移動量が異なるので、ピッキングの防止という観点から、より安全性が高いディスクタンブラー錠及び複製が困難な鍵を得ることができる。また合鍵のタンブラー用誘導刻みの第２刻みの斜辺の長さが、第１刻みの斜辺の長さと略同じ（同等の刻み）である実施形態の場合には、前記（ａ）で述べた通り、ピッキングの防止の向上を図ることができる。また合鍵のタンブラー用誘導刻みの構造について、第２刻みの斜辺の長さが第１刻みの斜辺の長さよりも短いもの（異なる刻み）と、第２刻みの斜辺の長さが第１刻みの斜辺の長さと略同じもの（同等の刻み）の二種類が、内筒の中心軸線に沿って組み込まれている実施形態の場合には、「より一層のピッキングの防止」、「より一層の鍵違いの増大化を図る」及び「より一層の複製が困難な合鍵を得る」というそれぞれの観点から、好ましい効果を得ることができる。また二分割の可動障害子の中には、複数の解錠用受け入れ凹所を有する可動障害子が含まれている実施形態の場合には、単数と複数の解錠用受け入れ凹所を有する可動障害子を任意に組み合わせることが可能となる。したがって、製造段階で、ピッキングの防止という観点から、より安全性が高いディスクタンブラー錠を提供することができる。さらに、二分割された可動障害子の幅広側壁は、外観上ほぼ小舟形状であり、船首に相当する一端部は、外筒体の内周面の一部の曲率に合うように弧状に形成され、前記一端部と反対側の船尾に相当する他端部にはタンブラーバネの一端部を支持するバネ端支持部が設けられ、該他端部の内端部側に前記タンブラーバネの伸縮方向に沿って内筒体に設けた案内部に案内される指状突起部を設け、前記指状突起部の内側縁に被誘導部分が形成され、前記内端部と反対側の外端部に解錠用受け入れ凹所が形成されている実施形態の場合には、外筒体の内周面の一部、タンブラーバネ及びロッキングバーの内端部側の係合板部分に対して対応するように内筒体に簡単に組み込むことができる。
【図面の簡単な説明】
【００１２】
図１乃至図１２は本発明の第１実施形態を示す各説明図。図１３至図１５は本発明の他の実施形態を示す各説明図。
【図１】使用態様の一例を示す外観斜視図。
【図２】図１で示したタンブラー錠Ｘの中心軸線０を含む面で切断した概略縦断面図。
【図３】合鍵の挿入方向Ａに直交する面で切断した概略縦断面図（二分割した可動障害子が見える初期位置の状態）。
【図４】外筒体の概略断面図。
【図５】内筒体を構成する主たる部材の概略説明図。
【図６】可動障害子の横にした状態の正面図。
【図７】合鍵の正面図。
【図８】合鍵の平面図。
【図９】タンブラー用誘導刻みの断面形状及び表側の斜辺の長さと裏側の斜辺の長さが相違する旨（特徴部分）を示す説明図（図７の９−９線の箇所を参照）。
【図１０】合鍵をキー孔に挿入した説明図（図２に於いて、合鍵を水平状態に差し込んだ場合）。
【図１１】合鍵をキー孔に挿入した状態の説明図（タンブラー用誘導刻みの表側の斜辺と裏側の斜辺の稜線部が内筒体の中心軸線と交差する垂直線から外側に外れている説明も含む）。
【図１２】内筒体が外筒体に対して相対回動する旨の説明図。
【図１３】第２実施形態（可動障害子の組み合わせの例）の説明図。
【図１４】第３実施形態（可動障害子の組み合わせの例）の説明図。
【図１５】第４実施形態（タンブラー用誘導刻みの断面形状及び表側の斜辺の長さと裏側の斜辺の長さがほぼ同じである旨（特徴部分）を示す説明図。
【発明を実施するための最良の形態】
【００１３】
図１乃至図１２は、本発明の第１実施形態のディスクタンブラー錠Ｘ（以下、ここでは「タンブラー錠」という。）及び該タンブラー錠用の鍵の各説明図である。図１は本発明のタンブラー錠Ｘを扉１の壁部１ａに取り付け、それと共に合鍵Ｙを示した外観斜視図である。まずこの図１に於いて、Ｘはタンブラー錠で、このタンブラー錠Ｘは合鍵Ｙの操作力により、複数の部材を組み合わせて形成された内筒体３が長筒状の外筒体２に対して相対回動する。
【００１４】
実施形態では、扉１（例えば、住宅の扉、自動販売機の扉など）の壁部１ａにタンブラー錠Ｘが水平状態に固着され、前記内筒体３を構成する錠先端部４に化粧カバー５が外嵌合している。
【００１５】
図１で示すように、キー孔６を有する錠先端部４及び化粧カバー５は、壁部１ａの外壁面から突出している。また内筒体３を構成する錠後端部７は、外筒体２あるいは内筒体３の軸線０上に位置するテールピース（出力片）８を有している。なお、符号Ａは合鍵Ｙの挿入方向である。図２は図１で示したタンブラー錠Ｘの中心軸線０を含む面で切断した概略縦断面図である。一方、図３は合鍵Ｙの挿入方向Ａに直交する面で切断した概略縦断面図である。図２及び図３を参照してタンブラー錠Ｘの基本的な構成部材を説明する。
まず、本発明のタンブラー錠Ｘは、内筒体の中心軸方向に所定間隔を有して二列状態に配設された二分割の左右或いは上下の可動障害子Ｚを有する点、また本発明のディスクタンブラー錠の鍵は、前記二分割の可動障害子Ｚのブレート用嵌挿孔を形成する各対向面に設けた傾斜状の各被誘導部分に対応する鍵幅方向の断面が、ほぼ山形のタンブラー用誘導刻みである点に特徴がある（特徴点）。
【００１６】
前述したように、２は長筒状の外筒体で、この外筒体の内周面２ａには、該外筒体２の母線に沿ってロックカム溝１１が形成されている（図２，図４参照）。図４を基準にすると、一部略ハの字形あるいは略逆ハの字形の一対のロックカム溝１１が外筒体の母線に沿って、かつ外筒体２或いは内筒体３の中心軸線０を基準にして上下の中心部に対称に形成されている。実施形態では外筒体２の上下にロックカム溝１１、１１が設けられていることから、これに対応して一対のロッキングバー１２、１２が上下に配設されている。
【００１７】
図３で示すように、左右のロッキングバー１２は、外筒体２の各ロックカム溝１１に対して係脱する外側の尖頭部１２ａと、この尖頭部に連設形成された内側の係合部としての係合板部分１２ｂとから成り、内筒体３の外周端部に形成された該内筒体の長手方向の解錠切欠１３に適宜に組み込まれている。そして、図２で示すように、例えば内筒体３の錠先端部４側（後方）に配設された前側の付勢バネ１４と、錠後端部７側（前方）に配設された後側の付勢バネ１４により、各ロッキングバー１２は内筒体３の半径外方向にそれぞれ常時付勢されている。したがって、各ロッキングバー１２は、常態では、それぞれ複数の付勢バネ１４、１４により、各外側の尖頭部１２ａが外筒体２の各ロックカム溝１１、１１に係合している。
【００１８】
次に図５は、主に内筒体３を構成する部材を、説明の便宜上、適宜に判り易く示した概略説明図である。実施形態の内筒体３は、中心部にキー孔６を有する錠先端部４と、出力突起片としてのテールピース８を中心部に有する錠後端部７と、この錠後端部７と前記錠先端部４との間に設けられ、かつ該軸線方向と直交する複数の仕切板（或いは仕切り部）１６によって区画形成される複数のタンブラー収容部２７並びに複数のタンブラーバネ用収容部２８、不番の仕切板用スロット、可動障害子用の一対の板状案内部１０，１０、軸線方向の解錠切欠１３等を有すると共に、断面弧状の上下或いは左右の分割体を複数の仕切板等を介して長筒状に形成された内筒本体１５と、この内筒本体に中心軸線方向に沿って列状に併設されていると共に、該軸線方向と直交し、かつ前記タンブラー収容部２７及びタンブラーバネ収容部２８を形成する複数の円形或いはトラック形状の仕切板１６と、前記内筒本体１５の一端開口２７ａから差し込まれた前記仕切板１６の連結孔１８を貫通して前記錠先端部４及び錠後端部７に架設された一対の所定長の連結棒１９とから成る。
【００１９】
ここで、図２、図３及び図５を参照にして、さらに内筒体３の構成を説明する。まず図３及び図５を参照にすると、錠先端部４は、短筒状のヘッド部分４ａと、このヘッド部分４ａに連設する環状のフランジ部分４ｂを有し、前述したようにその中心部にキー孔６が形成されている。キー孔６の形状や大きさは、合鍵ＹのブレードＢに対応して適宜に形成されている。そして、前記ヘッド部分４ａの先端面は、前記キー孔６に向かってすり鉢形状に形成された案内曲面となっている。また、前記キー孔６の同心円上には、錠先端部４の後端面から内部に向かって所定長の前支持孔２５が形成されている。実施形態では二本の連結棒１９を用いているので、図２を基準にすると、前支持孔２５は所定間隔を有して上下に一対設けられている。
【００２０】
次に図２を参照にすると、２６は環状の防御プレートで、この防御プレート２６は適宜に焼き入れされていると共に、その中心部にキー孔６と一致する不番の中心孔、その中心部寄りの部位に前述したガイド棒用の不番の挿通孔等が適宜に形成されている。なお、防御プレート２６も本発明の課題との関係では、発明の本質的事項ではない。この防御プレート２６は、例えば内筒本体１５の先端部の上方に形成された長孔状の切欠部分を介して内筒本体１５内に組み込まれる。
【００２１】
ここで初期位置を示す図３を基準にすると、内筒本体１５は、ハッチングで示した左右の段差状実体部分１５ａ、１５ａを除き、上方外周の開口側の一端部が幅広く、一方、下方外周の開口或いは非開口の他端部が幅狭であり、内筒体３（内筒本体１５）の中心軸線Ｏを通る垂直線Ｖ上に位置する可動障害子用の上下の板状案内部１０，１０を基準にすると、左右一対のタンブラー収容部２７、２７を有している。これらのタンブラー収容部２７には、その一端開口２７ａから左右一対の可動障害子Ｚが適宜に組み込まれる。図２で示すように、７枚（分割の可動障害子Ｚは、全部で１４枚）の可動障害子Ｚは、複数のトラック形状或いは円形の仕切板１６を介して中心軸線Ｏ方向に列状に配設されている。もちろん、可動障害子Ｚの数は、任意に設計変更できる事項である。
【００２２】
しかして、１３は内筒本体１５の上下部或いは左右部に対称的に形成された一対の解錠切欠で、これらの解錠切欠１３は前述した上下或いは左右の実体部分１５ａ、１５ａの中央部に半径内方向に向かって形成され、一対のロッキングバー１２の尖端部１２ａをそれぞれ嵌合案内する。２８はタンブラー収容部２７内の適宜箇所（図３では、左右の実体部分１５ａ、１５ａの段差状下端部分）に形成されたバネ端支持面を有する左右一対のタンブラーバネ収容部で、これらのタンブラーバネ収容部２８は、左右の段差状実体部分１５ａ、１５ａの内側に対向して垂直方向或いは水平方向に一対設けられている。
次に同様に図５を参照にして仕切部１６を説明する。なお、仕切部１６の構成に関して、設計如何によっては内筒本体１５の内側に壁を設けて仕切り、或いは内筒本体１５の内側に仕切板１６を設けることができるので、ここでは仕切りに相当する前記壁や仕切板を「仕切部１６」の概念に含めることにする。また仕切部１６の形状に関して、円形や楕円形に形成し、内筒本体１５の解錠切欠１３と一致する仕切板解錠切欠を形成しても良いが、実施形態では、外観上、図５で示すようなトラック形状に形成している。また複数の仕切板１６を内筒本体１５自体に一体形成しても良い。本実施形態では、出願人が提案した特許第４００８３０２号の特許発明（図３、図４）と同様に、内筒本体１５と仕切板１６は別個の部材であり、二つの弧状分割片を一体的に組み合わせて内筒本体１５を形成した後に、該内筒本体１５に多数の仕切板１６を一体的に組み込み、タンブラー収容部２７を区画形成している。
【００２３】
ところで、両端部又は挿入部端が弧状の嵌合突片を有するトラック形状の仕切板１６は、矩形状の連結孔１８及び中央部に形成された横長矩形状の案内開口２９を有する。
【００２４】
次に図２と図５を参照にして錠後端部７側の構成を説明する。前述したように、錠後端部７はテールピース８を有するが、該テールピース８は、外筒体２の後端部に設けられたワッシヤーリング３１ａ、ストッパーリング３１ｂ等の止め具３１を介して外筒体２の後端部内に回動自在に嵌合するテールプラグ３２の中心部に取付けられている。
【００２５】
錠後端部７を構成するテールプラグ３２は、錠先端部４と同様に連結棒１９の後端部を支持する後支持孔３３を一対有している。連結棒１９は、内筒本体１５に組み込まれた後述の可動障害子Ｚ及び仕切板１６を貫通した状態で、その先端部は前支持孔２５に、一方、後端部は後支持孔３３に支持されている。
【００２６】
さて、本発明の特徴事項について説明する。例えば二分割の可動障害子Ｚの両方を、図６で示すように「横にした状態」で説明する。なお、図面上方の他方の可動障害子Ｚの構成は、図面下方の一方のそれと同一なので、同一の符号を付して重複する説明を割愛する。図６は可動障害子Ｚの横にした状態の正面図（又は背面図）である。
【００２７】
この図６を基準にすると、右側の大きな弧状に形成された右端部（ここでは「一端部４１ａ」とする）は、外筒体２の内周面２ａの曲率に対応して形成されているので、タンブラーバネ４２に付勢されている状態（施錠状態）では、例えば外筒体２の内周面２ａに圧接する。左側の小さな弧状端面を有する突起状の左端部（ここでは「突起状他端部４１ｂ」とする）は、タンブラーバネ収容部２７と下方の板状案内部１０の間の収納部３０内に位置する。この突起状他端部４１ｂの内端部側（図面上は上端部）４１ｃに傾斜状の他方の被誘導部分ｂが形成されている。この図６では現れないが、前記他方の被誘導部分ｂの裏側（背面）に、傾斜状の一方の被誘導部分ａが形成されている。そして、前記内端部側（図面上は上端部）４１ｃに対する外端部（図面上は下端部）４１ｄに単数又は複数のロッキングバー１２の係合部としての係合板部分１２ｂ用の受け入れ凹所４８が形成されている。また左端部の横倒れ状凹所は、タンブラーバネ４２用の端部を支持するバネ支持端部４９である。さらに、４６は連結棒１９用貫通孔で、この連結棒１９用貫通孔４６は、可動障害子Ｚがタンブラーバネ４２のバネ力に抗して図面上左側にスライドすることから、長孔矩形状に形成されている。
【００２８】
以上のように、図６を参照にすると、二分割の長板状の可動障害子Ｚは、例えば正面視、その幅広側壁は、それぞれ外観上ほぼ小舟形状であり、船首に相当する一端部４１ａは、外筒体２の内周面２ａの曲率に合うように弧状に形成され、前記一端部と反対側の船尾に相当する突起状他端部４１ｂにはタンブラーバネ４２の一端部を支持する凹所状のバネ端支持部４９が設けられ、該突起状他端部の内端部側４１ｃに前記タンブラーバネ４２の伸縮方向に沿って内筒体３に設けた板状案内部１０に案内される指状突起部５０が設けられ、該指状突起部５０の内側縁に断面山形状の被誘導部分ａ、ｂが形成され、前記内端部と反対側に相当する外端部４１ｄに解錠用受け入れ凹所４８が形成されている。付言すると、可動障害子Ｚは、対向状態に二分割Ｚ、Ｚされ、その内端部側の各対向面の一部に傾斜状に形成された被誘導部分ａ、ｂを有する。なお、前記被誘導部分ａ、ｂは、望ましくは摩擦面を少なくするために断面山形状であるが、フラットな面、断面弧状面等であっても良い。
【００２９】
次に、図７乃至図９を参照にして、本発明の合鍵Ｙの一例を説明する。これらの図に於いて、Ｙは合鍵、Ｂはブレード（差し込み部分）、７１は平面部、７１ａは平面部の一側上面、７１ｂは平面部の一側下面、７２は側面部、７２ａは一方の側面、７２ｂは他方の側面である。
【００３０】
本発明の合鍵Ｙを構成要件とするディスクタンブラー錠用の鍵は、内周面に母線に沿ってロックカム溝１１を有する外筒体２と、この外筒体に回動自在に嵌合すると共に、中心軸線Ｏに沿って形成されたキー孔６及び半径方向の解錠切欠１３を有する内筒体３と、この内筒体の母線に沿って延在し、前記ロックカム溝１１と係合する方向に付勢されたロッキングバー１２と、前記内筒体３の各仕切り部１６の間にそれぞれ位置すると共に、タンブラーバネ４２のバネ力に抗して半径方向にスライド自在であり、かつ合鍵ＹのブレードＢに形成された好ましくは大小のタンブラー用誘導刻み７３に対応して係合する被誘導部分を有する複数枚の可動障害子Ｚを備えたディスクタンブラー錠用の鍵であって、前記可動障害子Ｚは、対向状態に二分割され、その内端部側の各対向面の一部に傾斜状に形成された前記被誘導部分（ａ、ｂ）を有し、一方、前記合鍵のＹの前記タンブラー用誘導刻み７３は、前記ブレードＢの平面部７１の一側上面７１ａに側面部７２からブレード幅方向（鍵幅方向）に形成された窪み状の第１刻み７３ａと、好ましくはこの第１刻み７３ａのほぼ裏側位置に相当する前記平面部７１の一側下面７１ｂに形成された窪み状の第２刻み７３ｂであり、前記合鍵ＹのブレードＢを前記キー孔６に挿入すると、前記二分割の可動障害子Ｚは、それぞれ前記タンブラーバネ４２のバネ力に抗して、かつ一対の連結棒１９にそれぞれ同じ方向に案内されると共に、該可動障害子Ｚの被誘導部分ａ、ｂが前記合鍵のタンブラー用誘導刻み７３に係合し、これにより二分割された可動障害子Ｚの外端部側の各解錠用受け入れ凹所４８が、前記ロッキングバー１２の内端部(好ましくはその係合板部分)１２ｂと一致し、以て、合鍵Ｙと共に内筒体３を解錠方向へ回動させた時、前記ロックカム溝１１と前記ロッキングバー１２との間に生じる楔作用により、内筒体３が外筒体２に対して相対回動する（図１２参照）。
【００３１】
図９は、図７の９−９線の箇所のタンブラー用誘導刻み７３の断面形状、及び表側の斜辺の長さと裏側の斜辺の長さが相違する旨（特徴部分）を示す説明図である。実施形態のタンブラー用誘導刻み７３は、例えば図７で示すように、ブレード（差し込み部分）Ｂの側面部７２である両側面７２ａ、７２ｂにそれぞれブレードの差し込み方向に深さが異なる大小の誘導刻み７３がそれぞれ形成されているが、図７の状態で合鍵Ｙをひっくり返した場合、前記側面部７２である両側面７２ａ、７２ｂにもそれぞれブレードＢの差し込み方向に深さが異なる大小の誘導刻み７３がそれぞれ形成されている。
【００３２】
したがって、図９で示すようにタンブラー用誘導刻み７３の断面形状はほぼ山形状であり、上下の山形状誘導刻み７３の各稜線部（刃先に見える部分）Ｐ、Ｐは、内筒体２の中心軸線Ｏを通る垂直線Ｖから回転対称の状態で外れている。したがって、タンブラー用誘導刻み７３の第２刻み７３ｂの斜辺の長さＬ２は、第１刻み７３ａの斜辺の長さＬ１よりも短い。
【００３３】
さらに付言すると、タンブラー用誘導刻み７３は、一方の側面部の縁部に形成された一群のものと、他方の側面部の縁部に形成された一群のものとがあり、かつ、前記一群の隣同士のタンブラー用誘導刻みの断面形状の頂点Ｐの位置が異なるものが含まれ、しかも、鍵Ｙは１８０度回転させて使用することができるリバーシブルであることを特徴とする。
ところで、実施形態では、図７及び図１０で示すように、前記深さが異なる大小の誘導刻み７３は、可動障害子Ｚの配列位置に対応してブレードＢの挿入方向に表と裏にそれぞれ合計６個形成されているが、もちろん、大小のタンブラー用誘導刻み７３の数は可動障害子Ｚのそれに対応するのが望ましい。なお、合鍵のＹのブレードＢの平面視上の中央部部分に回転対称にブレードの挿入方向に沿って直線状に長溝７４が形成されている。したがって、実施形態の合鍵Ｙは、リバーシブルである。
【実施例】
【００３４】
第１実施形態では、合鍵のタンブラー用誘導刻みの第２刻みの斜辺の長さは、第１刻みの斜辺の長さよりも短い（異なる刻みである）。しかしながら、後述するように合鍵のタンブラー用誘導刻みの第２刻みの斜辺の長さは、第１刻みの斜辺の長さと略同じ（同等の刻みである）であっても良い。
【００３５】
この欄では、タンブラー錠Ｘを構成する可動障害子Ｚの他の実施形態について、簡単に説明する。まず図１３は第２実施形態（可動障害子の組み合わせの例）の説明図、図１４は第３実施形態（可動障害子の組み合わせの例）の説明図である。第２実施形態の可動障害子Ｚ及び第３実施形態の可動障害子Ｚは、二分割の可動障害子の少なくとも一方には、複数の解錠用受け入れ凹所４８が形成されている旨を示す。前述したように、二分割の可動障害子は、二列の状態で、内筒体３の中心軸線Ｏ方向に整列しているが、単数の解錠用受け入れ凹所４８を有する可動障害子Ｚのみを適宜に組み合わせて配列しても良いし、また単数の解錠用受け入れ凹所４８を有する可動障害子Ｚと複数の解錠用受け入れ凹所４８を有する可動障害子Ｚとを適宜に組み合わせて配列しても良い。このように構成すると、ピッキング対策の観点から安全性の高いタンブラー錠Ｘを得ることができる。
【００３６】
次に図１５は第４実施形態の合鍵Ｙ１である。この合鍵Ｙ１のタンブラー用誘導刻み７３の断面形状と図９に示した合鍵Ｙのそれとを比較すると明らかなように、表側の斜辺の長さＬ１と裏側の斜辺の長さＬ２がほぼ同じである。
【００３７】
このように構成しても、対向状態に二分割された各可動障害子は、その内端部側の各対向面の傾斜状の誘導部分が、合鍵Ｙ１のタンブラー用誘導刻みに同方向に係合するので、このように同時に係合する位置に対応する前記タンブラー用誘導刻みを正確に形成しなければならないので、複製が困難な鍵を得ることができる。
【００３８】
なお、第１実施形態の二分割の可動障害子と第２実施形態の二分割の可動障害子を組み合わせても良い。すなわち、合鍵のタンブラー用誘導刻みは、第２刻みの斜辺の長さが第１刻みの斜辺の長さよりも短いもの（異なる刻み）と、第２刻みの斜辺の長さが第１刻みの斜辺の長さと略同じもの（同等の刻み）の二種類が、内筒の中心軸線に沿って組み込まれても良い。このように構成すると、他の実施形態によりも、「より一層のピッキングの防止」、「より一層の鍵違いの増大化を図る」及び「より一層の複製が困難な合鍵を得る」という、優れた効果を得ることができる。
【産業上の利用可能性】
【００３９】
本発明は、錠前や建具の分野で利用することができる。
【符号の説明】
【００４０】
Ｘ…タンブラー錠、
Ｚ…二分割の可動障害子、
ａ、ｂ…被誘導部、
Ｙ、Ｙ１…合鍵、
Ｂ…ブレード、
７１…平面部、
７２…側面部、
７３…タンブラー用誘導刻み、
７３ａ…第１刻み、
Ｌ１…第１刻みの斜辺の長さ、
７３ｂ…第２刻み、
Ｌ２…第２刻みの斜辺の長さ、
７４…直線状長溝、
１…扉、
２…外筒体、
３…内筒体、
１１…ロックカム溝、
１２…ロッキングバー、
１２ａ…尖端部、１２ｂ…係合板部分、
１３…解錠切欠、１４…付勢バネ、
１５…内筒本体、
１６…仕切板
１８…連結孔、
１９…連結棒
２７…タンブラー収容部、
２８…タンブラーバネ収容部、
４２…タンブラーバネ。